(57)【要約】【課題】  ラベルを剥離シートから剥がし取るきっかけを容易に作ることのでき、ラベルを剥がし取りやすいラベルシートを提供する。【解決手段】  上段の単位ラベル１１は、その右下角部近傍で中段の単位ラベル１３と第１連結部１７によって連結され、中段の単位ラベル１３は、その右下角部近傍で下段の単位ラベル１５と第２連結部１９によって連結されている。第１連結部１７の強度は、上段の単位ラベル１１を剥離シート７から捲るように剥がし取った際に、中段の単位ラベル１３の角部１３Ａが浮き上がった状態となったときに切断されるように設定されている。同様にして、第２連結部１９の強度は、中段の単位ラベル１３を剥離シート７から捲るように剥がし取った際に、下段の単位ラベル１５の角部１５Ａが浮き上がった状態となったときに切断されるように設定されている。【選択図】  図１
2006189577.tif 000002
【特許請求の範囲】
【請求項１】
粘着層を備えた情報表示シートと、この粘着層に重ねた剥離シートとからなり、前記情報表示シートには切れ目を形成することで複数枚の略矩形状の単位ラベルが分離可能とされたラベルシートにおいて、
前記単位ラベルは、列をなして並ぶように配され、かつその角部近傍で前記切れ目を分断して形成した連結部によって相互に連結されているとともに、
前記複数枚の単位ラベルのうち一の単位ラベルと、これと隣り合う単位ラベルを連結する前記連結部は、前記一の単位ラベルを前記剥離シートから捲るように剥がし取る際に、前記隣り合う単位ラベルの角部が浮き上がった状態となった後に切断されるような強度に設定されていることを特徴とするラベルシート。
【請求項２】
前記連結部には、ミシン目が入れられていることを特徴とする請求項１に記載のラベルシート。
【請求項３】
前記連結部の両側に位置する前記切れ目の端部を結んだ線は、前記単位ラベルの側辺に対して傾斜していることを特徴とする請求項１又は請求項２に記載のラベルシート。
【請求項４】
前記剥離シートには、前記単位ラベルの角部付近の領域と重なる一部領域を他領域から分離するための閉じたループ状のスリットが形成されていることを特徴とする請求項１ないし請求項３のいずれかに記載のラベルシート。
【請求項５】
前記隣り合う単位ラベルの前記角部を構成する２辺間を繋ぐように直線状のミシン目又は折り筋が形成されていることを特徴とする請求項１ないし請求項４のいずれかに記載のラベルシート。
【請求項６】
前記隣り合う単位ラベルの前記角部は、その周辺よりも突出した形態のタブ状に形成されていることを特徴とする請求項１に記載のラベルシート。
【発明の詳細な説明】
【技術分野】
【０００１】
本発明は、ラベルシートに関する。
【背景技術】
【０００２】
従来より、ラベルシートとしては、粘着剤層を有する情報表示シートの粘着剤層を覆うように剥離シートが重ね合わされてなり、情報表示シートにラベルが切り離し可能な切れ目が形成されたものが知られている（特許文献１参照）。
このようなラベルシートからラベルを剥がし取って、例えば封筒等に貼り付けるには、ラベルの角部だけを剥離シートから浮かせ、このラベルの角部を指で摘んで引っ張ることによりラベルを剥離シートから剥がし取っていた。
【特許文献１】特開平９−４８１８８号公報
【発明の開示】
【発明が解決しようとする課題】
【０００３】
しかしながら、ラベルを剥がし取ろうとする際、ラベルの角部が剥離シートから浮き上がりにくい場合があり、ラベルを剥がし取るきっかけを作ることが困難な場合がある。
本発明は上記のような事情に基づいて完成されたものであって、ラベルを剥離シートから剥がし取るきっかけを容易に作ることができ、ラベルを剥がし取りやすいラベルシートを提供することを目的とする。
【課題を解決するための手段】
【０００４】
上記の目的を達成するための手段として、請求項１の発明は、粘着層を備えた情報表示シートと、この粘着層に重ねた剥離シートとからなり、前記情報表示シートには切れ目を形成することで複数枚の略矩形状の単位ラベルが分離可能とされたラベルシートにおいて、前記単位ラベルは、列をなして並ぶように配され、かつその角部近傍で前記切れ目を分断して形成した連結部によって相互に連結されているとともに、前記複数枚の単位ラベルのうち一の単位ラベルと、これと隣り合う単位ラベルを連結する前記連結部は、前記一の単位ラベルを前記剥離シートから捲るように剥がし取る際に、前記隣り合う単位ラベルの角部が浮き上がった状態となった後に切断されるような強度に設定されていることを特徴とするラベルシートである。
【０００５】
請求項２の発明は、請求項１に記載のものにおいて、前記連結部には、ミシン目が入れられていることを特徴とする。
【０００６】
請求項３の発明は、請求項１又は請求項２に記載のものにおいて、前記連結部の両側に位置する前記切れ目の端部を結んだ線は、前記単位ラベルの側辺に対して傾斜していることを特徴とする。
【０００７】
請求項４の発明は、請求項１ないし請求項３のいずれかに記載のものにおいて、前記剥離シートには、前記単位ラベルの角部付近の領域と重なる一部領域を他領域から分離するための閉じたループ状のスリットが形成されていることを特徴とする。
【０００８】
請求項５の発明は、請求項１ないし請求項４のいずれかに記載のものにおいて、前記隣り合う単位ラベルの前記角部を構成する２辺間を繋ぐように直線状のミシン目又は折り筋が形成されていることを特徴とする。
【０００９】
請求項６の発明は、請求項１に記載のものにおいて、前記隣り合う単位ラベルの前記角部は、その周辺よりも突出した形態のタブ状に形成されていることを特徴とする。
【発明の効果】
【００１０】
＜請求項１及び請求項２の発明＞
本請求項の発明によれば、一の単位ラベルを剥離シートから捲るように剥がしとると、連結部によって次の単位ラベル（隣合う単位ラベル）の角部が剥離シートから剥がれる方向へ引っ張られて次の単位ラベルの角部が浮き上がった状態となる。そして、この状態で連結部が切断される。よって、次の単位ラベル（隣り合う単位ラベル）を剥離シートから剥がし取る際には、この浮き上がった角部を摘んで剥がし取ればよく、剥がし取りやすい。
【００１１】
＜請求項３の発明＞
連結部の両側に位置する切れ目の端部を結んだ線が単位ラベルの側辺に対して直交していると、単位ラベルを隣の単位ラベルから引き離して、この連結部を引きちぎろうとしても、引きちぎろうとする力の向き（図６（Ａ）の矢印参照）に対して切れ目の端部を結んだ線が直交することになり、連結部に力がうまく伝わらずスムーズに切断できないことがある。
本請求項の発明によれば、連結部の両側に位置する切れ目の端部を結んだ線は、単位ラベルの側辺に対して傾斜しているから、直交している場合と比べて連結部に力がうまくかかり、連結部をスムーズに切断することができる（図６（Ｂ）参照）。
【００１２】
＜請求項４の発明＞
本請求項の発明によれば、剥離シート側から単位ラベルの角部と重なる剥離シートの一部領域を情報表示シート側に押し出すと、単位ラベルの角部が紙面から浮き出た状態となる。そして、この単位ラベルの角部を摘んで単位ラベルを剥離シートから剥離する。
このように本請求項の発明によれば、単位ラベルの角部を摘みやすくなる。
【００１３】
＜請求項５の発明＞
請求項１の発明によれば、一の単位ラベルを剥離シートから捲るように剥がしとると、次の単位ラベルの角部が浮き上がった状態となる。ところが、折角、角部が浮き上がっても、角部がその弾性力により剥離シートに再接着してしまうおそれがあった。これでは次のラベルを剥がすときに剥がしにくい。
請求項５の発明の構成によれば、次の単位ラベル（隣り合う単位ラベル）の角部を構成する２辺間を繋ぐように直線状のミシン目又は折り筋が形成されているから、角部が浮き上がった姿勢で保持されやすく、次のラベルを確実に剥がし易い状態としておくことができる。
【００１４】
＜請求項６の発明＞
一の単位ラベルを剥離シートから捲るように剥がしとると、連結部によって次の単位ラベル（隣合う単位ラベル）の、突出した形態でタブ状の角部が浮き上がった状態となる。この角部は、突出形態でない角部と比べて摘みやすく、そのため次の単位ラベルが更に剥がしやすくなる。
【発明を実施するための最良の形態】
【００１５】
＜第１実施形態＞
本発明の第１実施形態を図１〜３を参照しつつ説明する。
本実施形態のラベルシート１は、例えばＡ４サイズの矩形状であって、粘着層３を備えた情報表示シート５と、この粘着層３に重ねた剥離シート７とからなる。
情報表示シート５には複数の略矩形状の切れ目９を形成することで複数枚の略矩形状の単位ラベル１１，１３，１５が分離可能とされている。
【００１６】
単位ラベル１１，１３，１５は、情報表示シート５の長辺に沿って列をなして並ぶように配されて上・中・下段の単位ラベル１１，１３，１５の３つで１組とされ、この組が６組形成されている。
上段の単位ラベル１１は、その右下角部近傍で中段の単位ラベル１３と切れ目９を分断して形成した第１連結部１７によって連結され、中段の単位ラベル１３は、その右下角部近傍で下段の単位ラベル１５と切れ目９を分断して形成した第２連結部１９によって連結されている。
【００１７】
第１連結部１７の強度は、上段の単位ラベル１１を剥離シート７から捲るように剥がし取る際に、中段の単位ラベル１３の角部１３Ａが浮き上がった状態となった後に切断されるように設定されている。
同様にして、第２連結部１９の強度は、中段の単位ラベル１３を剥離シート７から捲るように剥がし取る際に、下段の単位ラベル１５の角部１５Ａが浮き上がった状態となった後に切断されるように設定されている。
【００１８】
次に、本実施形態のラベルシート１の作用及び効果について説明する。
本実施形態のラベルシート１によれば、上段の単位ラベル１１を剥離シート７から捲るように剥がし取ると、図２に示すように第１連結部１７によって中段の単位ラベル１３の角部１３Ａが剥離シート７から剥がれる方向へ引っ張られて剥離シート７から浮き上がった状態となる。この状態から更に上段の単位ラベル１１を剥離シート７から離すようにすると、図３に示すように第１連結部１７が切断され、上段の単位ラベル１１が分離される。
次に中段の単位ラベル１３を浮き上がった角部１３Ａを摘んで剥離シート７から捲るように剥がし取る。下段の単位ラベル１５を剥がし取る際も同様にして、中段の単位ラベル１３を剥がし取った際に浮き上がった角部１５Ａを摘んで剥離シート７から捲るように剥がし取る。
このように、本実施形態のラベルシート１によれば、中段及び下段の単位ラベル１３，１５を剥離シート７から剥がし取る際には、浮き上がった角部１３Ａ，１５Ａを摘んで剥がし取ればよく、剥がし取りやすい。
【００１９】
＜第２実施形態＞
次に本発明の第２実施形態について図４を参照しつつ説明する。なお、第１実施形態と同じ構成については、同一の符号を付し、構造、作用及び効果の説明は省略する。
第２実施形態では、第１連結部１７及び第２連結部１９の長さが第１実施形態のものよりも長く、長くなった部分にはミシン目２１が形成されている点が第１実施形態と異なる。
【００２０】
＜第３実施形態＞
次に本発明の第３実施形態について図５〜６を参照しつつ説明する。なお、第１実施形態と同じ構成については、同一の符号を付し、構造、作用及び効果の説明は省略する。
第３実施形態では、図５及び図６（Ｂ）に示すように、第１連結部１７の両側に位置する切れ目９の端部を結んだ線は、単位ラベル１３の側辺２５に対して傾斜しており、第２連結部１９の両側に位置する切れ目９の端部を結んだ線も、単位ラベル１５の側辺２５に対して傾斜している点が第１実施形態と異なる。
【００２１】
図６（Ａ）に示すように、第１連結部１７の両側に位置する切れ目９の端部を結んだ線が、単位ラベル１３の側辺２５に対して直交していると、上段の単位ラベル１１を中段の単位ラベル１３から引き離して、第１連結部１７を引きちぎろうとしても、引きちぎろうとする力の向き（図６（Ａ）の矢印参照）に対して第１連結部１７が直交することになり、第１連結部１７に力がうまく伝わらずスムーズに切断できないことがある。
【００２２】
本実施形態の構成によれば、図６（Ｂ）に示すように第１連結部１７の両側に位置する切れ目９の端部を結んだ線は、単位ラベル１３の側辺２５に対して傾斜している、すなわち、引きちぎろうとする力の向き（図６（Ｂ）の矢印参照）に対して傾斜しているから、直交している場合と比べて第１連結部１７に力がうまくかかり、これをスムーズに切断することができる。
【００２３】
＜第４実施形態＞
次に本発明の第４実施形態について図７〜８を参照しつつ説明する。なお、第１実施形態と同じ構成については、同一の符号を付し、構造、作用及び効果の説明は省略する。
第４実施形態では、図７に示すように中段の単位ラベル１３の第１連結部１７が形成された角部１３Ａを構成する２辺間を繋ぐように直線状のミシン目２７が形成されている点、及び下段の単位ラベル１５の第２連結部１９が形成された角部１５Ａを構成する２辺間を繋ぐように直線状のミシン目２７が形成されている点が第１実施形態と異なる。
【００２４】
ところで、上記第１実施形態の構成によれば、上段の単位ラベル１１を剥離シート７から捲るように剥がしとると、中段の単位ラベル１３の角部１３Ａが浮き上がった状態となる。ところが、折角、角部１３Ａが浮き上がっても、角部１３Ａがその弾性力により剥離シート７に再接着してしまうおそれがあった。これでは中段のラベル１３を剥がすときに剥がしにくい。
第４実施形態の構成によれば、中段の単位ラベル１３の角部１３Ａを構成する２辺間を繋ぐように直線状のミシン目２７が形成されている。
この場合には、図８に示すように上段の単位ラベル１１を剥離シート７から捲るように剥がしとると、中段の単位ラベル１３の角部１３Ａが浮き上がった状態となり、かつミシン目２７が谷折りされる。つまり、角部１３Ａは浮き上がった姿勢で保持される。従って、中段の単位ラベル１３を確実に剥がし易い状態としておくことができる。なお、中段の単位ラベル１３を剥がした場合には、同様にして下段の単位ラベル１５の角部１５Ａが浮き上がった姿勢で保持される。
【００２５】
＜第５実施形態＞
次に本発明の第５実施形態について図９〜１１を参照しつつ説明する。なお、第１実施形態と同じ構成については、同一の符号を付し、構造、作用及び効果の説明は省略する。本実施形態の表面図を図９、裏面図を図１０に示す。
第５実施形態では、剥離シート７には、上段の単位ラベル１１の角部付近の領域と重なる一部領域７Ａをその他領域７Ｂから分離するための閉じたループ状のスリット２９が形成されている点が第１実施形態と異なる。
本実施形態の構成によれば、図１１に示すように剥離シート７側（紙面奥側）から剥離シート７の一部領域７Ａを情報表示シート５側（紙面手前側）に指で押し出すと、上段の単位ラベル１１の角部が紙面から手前側に浮き出た状態となる。そして、この単位ラベル１１の角部を摘んで単位ラベル１１を剥離シート７から剥離する。このように本実施形態の構成によれば、単位ラベル１１の角部を摘みやすくなる。
【００２６】
＜第６実施形態＞
次に本発明の第６実施形態について図１２〜１３を参照しつつ説明する。なお、第１実施形態と同じ構成については、同一の符号を付し、構造、作用及び効果の説明は省略する。
本実施形態では、図１２に示すように、切れ目９の入れ方が第１実施形態と異なり、切れ目９は、中段の単位ラベル１３の、第１連結部１７が形成された角部１３Ａが、その周辺よりも突出した形態のタブ状になるように入れられている。また、切れ目９は、下段の単位ラベル１５の、第２連結部１９が形成された角部１５Ａが、その周辺よりも突出した形態のタブ状になるように入れられている。
本実施形態の構成によれば、上段の単位ラベル１１を剥離シート７から捲るように剥がしとると、図１３に示すように、第１連結部１７によって中段の単位ラベル１３（隣合う単位ラベル）の、突出した形態でタブ状の角部１３Ａが浮き上がった状態となる。この角部１３Ａは、突出形態でない角部と比べて摘みやすく、そのため中段の単位ラベル１３が剥がしやすくなる。
また、中段の単位ラベル１３を剥離シート７から捲るように剥がしとると、第２連結部１９によって下段の単位ラベル１５の、突出した形態でタブ状の角部１５Ａが浮き上がった状態となるから、下段の単位ラベル１５も剥がしやすくなる。
【００２７】
＜第７実施形態＞
次に本発明の第７実施形態について図１４〜１５を参照しつつ説明する。なお、第６実施形態と同じ構成については、同一の符号を付し、構造、作用及び効果の説明は省略する。
本実施形態では、図１４に示すように切れ目９の入れ方が第６実施形態と異なるが、切れ目９は、中段の単位ラベル１３の角部１３Ａが、その周辺よりも突出した形態のタブ状になるように入れられ、かつ下段の単位ラベル１５の角部１５Ａが、その周辺よりも突出した形態のタブ状になるように入れられている点については同じである。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、単位ラベル１１，１３，１５が３つで１組とされたものを示したが、単位ラベルが２つで１組のものでも、４つ以上で１組であってもよい。
（２）第４実施形態では、ミシン目２７を用いたが、例えば、プレスによる折筋であってもよい。
（３）上記実施形態では、上段の単位ラベル１１は、その右下角部近傍で中段の単位ラベル１３と第１連結部１７によって連結され、中段の単位ラベル１３は、その右下角部近傍で下段の単位ラベル１５と第２連結部１９によって連結されていることとしたが、上段の単位ラベル１１を、図１６に示すように左右の両下角部近傍で中段の単位ラベル１３と第１連結部１７によって連結し、中段の単位ラベル１３を、左右の両下角部近傍で下段の単位ラベル１５と第２連結部１９によって連結してもよい。
（４）上記実施形態では、特定のサイズのラベルシート１について説明したが、ラベルシート１のサイズは特に限定されず、例えば、Ａ５、Ａ６、Ｂ４、Ｂ５、葉書等のサイズであってもよい。また、ラベルシート１は矩形状のものとしたが、その形状も特に限定されない。
【図面の簡単な説明】
【００２９】
【図１】第１実施形態のラベルシートの表面図
【図２】ラベルシートを表面側からみた斜視図
【図３】ラベルシートを表面側からみた斜視図
【図４】第２実施形態のラベルシートの表面図
【図５】第３実施形態のラベルシートの表面図
【図６】第３実施形態のラベルシートの作用効果を説明する斜視図
【図７】第４実施形態のラベルシートの表面図
【図８】ラベルシートを表面側からみた斜視図
【図９】第５実施形態のラベルシートの表面図
【図１０】ラベルシートの裏面図
【図１１】ラベルシートの表面図
【図１２】第６実施形態のラベルシートの表面図
【図１３】ラベルシートを表面側からみた斜視図
【図１４】第７実施形態のラベルシートの表面図
【図１５】ラベルシートを表面側からみた斜視図
【図１６】他の実施形態のラベルシートの表面図
【符号の説明】
【００３０】
１…ラベルシート
３…粘着層
５…情報表示シート
７…剥離シート
９…切れ目
１１…上段の単位ラベル
１３…中段の単位ラベル
１３Ａ…角部
１５…下段の単位ラベル
１５Ａ…角部
１７…第１連結部
１９…第２連結部
【図１】
2006189577.tif 000003
【図２】
2006189577.tif 000004
【図３】
2006189577.tif 000005
【図４】
2006189577.tif 000006
【図５】
2006189577.tif 000007
【図６】
2006189577.tif 000008
【図７】
2006189577.tif 000009
【図８】
2006189577.tif 000010
【図９】
2006189577.tif 000011
【図１０】
2006189577.tif 000012
【図１１】
2006189577.tif 000013
【図１２】
2006189577.tif 000014
【図１３】
2006189577.tif 000015
【図１４】
2006189577.tif 000016
【図１５】
2006189577.tif 000017
【図１６】
2006189577.tif 000018